(57)【要約】【課題】電動送風機から外部へ微細な塵埃が排出されるのを防ぐことができる電気掃除機を提供する。【解決手段】延長管５は、サクションホースへ向かう塵埃２０を正に帯電させる材料で構成された第１部材７と、サクションホースへ向かう塵埃２０を負に帯電させる材料で構成された第２部材８とを有する。これにより、塵埃２０の一部が第１部材７との摩擦によって正に帯電する一方、塵埃２０の他の一部が延長管の第２部材８との摩擦によって負に帯電する結果、質量が比較的軽い微細な塵埃２０同士が結合して、質量が比較的重い塵埃２０が生成される。この質量が比較的重い塵埃はサイクロン集塵室で空気から確実に分離できるので、サイクロン集塵室の分離率を高めることができる。【選択図】図２
2011041865.tif 000002
【特許請求の範囲】
【請求項１】
吸込口体と、
上記吸込口体に一端が連なる延長管と、
上記延長管の他端に一端が連なるサクションホースと、
上記サクションホースの他端に連なる掃除機本体と
を備え、
上記掃除機本体は、
遠心力によって空気から塵埃を分離するサイクロン集塵室と、
上記吸込口体、延長管およびサクションホースを介して塵埃を上記サイクロン集塵室に吸引する電動送風機と
を有し、
上記延長管は、
上記サクションホースへ向かう塵埃を正に帯電させる材料で構成された第１部材と、
上記サクションホースへ向かう塵埃を負に帯電させる材料で構成された第２部材と
を有することを特徴とする電気掃除機。
【請求項２】
請求項１に記載の電気掃除機において、
上記第１，第２部材のそれぞれは断面略円弧状であることを特徴とする電気掃除機。
【請求項３】
請求項１に記載の電気掃除機において、
上記延長管内には、
上記第１部材が設けられた第１吸気通路と、
上記第２部材が設けられた第２吸気通路と、
上記第１吸気通路と上記第２吸気通路とを仕切る隔壁と
が存在することを特徴とする電気掃除機。
【請求項４】
請求項３に記載の電気掃除機において、
上記第１吸気通路の流路断面積は上記第２吸気通路の流路断面積と略等しいことを特徴とする電気掃除機。
【請求項５】
請求項１に記載の電気掃除機において、
上記延長管と上記サクションホースとの間には、塵埃が衝突する攪拌羽根が設けられていることを特徴とする電気掃除機。
【請求項６】
請求項１に記載の電気掃除機において、
上記吸込口体には回転ブラシが回転自在に設けられていて、
上記回転ブラシは、
上記延長管へ向かう塵埃を正に帯電させる材料で構成された第３部材と、
上記延長管へ向かう塵埃を負に帯電させる材料で構成された第４部材と
を有することを特徴とする電気掃除機。
【請求項７】
請求項６に記載の電気掃除機において、
上記第３部材および上記第４部材は上記回転ブラシの回転軸方向に並んでいることを特徴とする電気掃除機。
【請求項８】
請求項６に記載の電気掃除機において、
上記吸込体と上記延長管との間には、塵埃が衝突する攪拌羽根が設けられていることを特徴とする電気掃除機。
【発明の詳細な説明】
【技術分野】
【０００１】
本発明は、例えば一般家庭等で使用される電気掃除機に関する。
【背景技術】
【０００２】
従来、電気掃除としては、特表２００４−５２９６８２号公報に開示されているものがある。この電気掃除機は、上流サイクロンユニットと、この上流サイクロンユニットから排出された空気が流入する下流サイクロンユニットとを備えている。
【０００３】
上記上流サイクロンユニットおよび下流サイクロンユニットは、内部で空気を高速旋回させて、上記空気中の塵埃に遠心力を作用させて、上記空気から塵埃を分離するものである。
【０００４】
上記構成の電気掃除機によれば、上流サイクロンユニットから排出された空気を下流サイクロンユニットに流入させることによって、上流サイクロンユニットで分離できなかった塵埃を下流サイクロンユニットで分離し、塵埃の分離率を高めようとしている。
【０００５】
しかしながら、上記従来の電気掃除機では、上流サイクロンユニットによる圧力損失が生じるため、下流サイクロンユニットに流入する空気の風圧は低下してしまう。
【０００６】
その結果、上記下流サイクロンユニットは、質量が軽い微細な塵埃に十分な遠心力を作用させることできず、空気から微細な塵埃を分離できない。
【０００７】
したがって、上記従来の電気掃除機には、微細な塵埃を含む空気が外部に排出されてしまうという問題がある。
【先行技術文献】
【特許文献】
【０００８】
【特許文献１】特表２００４−５２９６８２号公報
【発明の概要】
【発明が解決しようとする課題】
【０００９】
そこで、本発明の課題は、電動送風機から外部へ微細な塵埃が排出されるのを防ぐことができる電気掃除機を提供することにある。
【課題を解決するための手段】
【００１０】
上記課題を解決するため、本発明の電気掃除機は、
吸込口体と、
上記吸込口体に一端が連なる延長管と、
上記延長管の他端に一端が連なるサクションホースと、
上記サクションホースの他端に連なる掃除機本体と
を備え、
上記掃除機本体は、
遠心力によって空気から塵埃を分離するサイクロン集塵室と、
上記吸込口体、延長管およびサクションホースを介して塵埃を上記サイクロン集塵室に吸引する電動送風機と
を有し、
上記延長管は、
上記サクションホースへ向かう塵埃を正に帯電させる材料で構成された第１部材と、
上記サクションホースへ向かう塵埃を負に帯電させる材料で構成された第２部材と
を有することを特徴としている。
【００１１】
上記構成の電気掃除機によれば、上記吸込口体に吸い込まれた塵埃は延長管を通過してサクションホースへ向かう。この時、上記塵埃の一部が延長管の第１部材との摩擦によって正に帯電する一方、塵埃の他の一部が延長管の第２部材との摩擦によって負に帯電する。これにより、質量が比較的軽い微細な塵埃同士が結合して、質量が比較的重い塵埃が生成される。つまり、上記塵埃の凝集効果が得られる。
【００１２】
したがって、上記サイクロン集塵室に入る微細な塵埃の量が減るので、サイクロン集塵室の分離率が高まり、電動送風機から外部へ微細な塵埃が排出されるのを防ぐことができる。
【００１３】
一実施形態の電気掃除機では、
上記第１，第２部材のそれぞれは断面略円弧状である。
【００１４】
上記実施形態の電気掃除機によれば、上記第１，第２部材のそれぞれは断面略円弧状であるので、延長管内の塵埃を第１，第２部材でサクションホースへスムーズに案内することができる。
【００１５】
一実施形態の電気掃除機では、
上記延長管内には、
上記第１部材が設けられた第１吸気通路と、
上記第２部材が設けられた第２吸気通路と、
上記第１吸気通路と上記第２吸気通路とを仕切る隔壁と
が存在する。
【００１６】
上記実施形態の電気掃除機によれば、上記延長管内には、第１部材が設けられた第１吸気通路と、第２部材が設けられた第２吸気通路と、第１吸気通路と第２吸気通路とを仕切る隔壁とが存在するので、第１部材によって正に帯電した塵埃を高効率で生成することができると共に、第２部材によって負に帯電した塵埃を高効率で生成することができる。
【００１７】
一実施形態の電気掃除機では、
上記第１吸気通路の流路断面積は上記第２吸気通路の流路断面積と略等しい。
【００１８】
上記実施形態の電気掃除機によれば、上記第１吸気通路の流路断面積は第２吸気通路の流路断面積と略等しいから、正に帯電する塵埃の量と、負に帯電する塵埃の量とを略等しくして、塵埃の凝集効果を高めることができる。
【００１９】
一実施形態の電気掃除機では、
上記延長管と上記サクションホースとの間には、塵埃が衝突する攪拌羽根が設けられている。
【００２０】
上記実施形態の電気掃除機によれば、上記延長管とサクションホースとの間には塵埃が衝突する攪拌羽根が設けられているので、延長管で正負に帯電した塵埃が攪拌羽根に衝突して攪拌される。
【００２１】
したがって、上記微細な塵埃同士が結合する確率が高くなり、塵埃の凝集効果を高めることができる。
【００２２】
一実施形態の電気掃除機では、
上記吸込口体には回転ブラシが回転自在に設けられていて、
上記回転ブラシは、
上記延長管へ向かう塵埃を正に帯電させる材料で構成された第３部材と、
上記延長管へ向かう塵埃を負に帯電させる材料で構成された第４部材と
を有する。
【００２３】
上記実施形態の電気掃除機によれば、上記回転ブラシは、延長管へ向かう塵埃を正に帯電させる材料で構成された第３部材と、延長管へ向かう塵埃を負に帯電させる材料で構成された第４部材とを有するから、回転ブラシが塵埃を掻きあげるとき、塵埃の一部が正に帯電すると共に、塵埃の他の一部が負に帯電して、吸込口体によっても凝集効果が得られる。
【００２４】
したがって、上記吸込口体および延長管のそれぞれにおいて塵埃の凝集効果が得られるので、塵埃の凝集効果を高めることができる。
【００２５】
一実施形態の電気掃除機では、
上記第３部材および上記第４部材は上記回転ブラシの回転軸方向に並んでいる。
【００２６】
上記実施形態の電気掃除機によれば、上記第３部材および第４部材は回転ブラシの回転軸方向に並んでいるから、第３部材によって正に帯電した塵埃を高効率で生成することができると共に、第４部材によって負に帯電した塵埃を高効率で生成することができる。
【００２７】
一実施形態の電気掃除機では、
上記吸込体と上記延長管との間には、塵埃が衝突する攪拌羽根が設けられている。
【００２８】
上記実施形態の電気掃除機によれば、上記吸込口体と延長管との間には塵埃が衝突する攪拌羽根が設けられているので、吸込口体で正負に帯電した塵埃の粒子が攪拌羽根に衝突して拡散する。
【００２９】
したがって、上記微細な塵埃同士が結合する確率が高くなり、塵埃の凝集効果を高めることができる。
【発明の効果】
【００３０】
本発明の電気掃除機によれば、延長管が、サクションホースへ向かう塵埃を正に帯電させる材料で構成された第１部材と、サクションホースへ向かう塵埃を負に帯電させる材料で構成された第２部材とを有することによって、延長管を通過する塵埃の一部が第１部材との摩擦によって正に帯電する一方、塵埃の他の一部が第２部材との摩擦によって負に帯電するので、質量が比較的軽い微細な塵埃同士が結合して、質量が比較的重い塵埃が生成される。つまり、上記塵埃の凝集効果が得られる。
【００３１】
したがって、上記サイクロン集塵室に入る微細な塵埃の量が減るので、サイクロン集塵室の分離率が高まり、電動送風機から外部へ微細な塵埃が排出されるのを防ぐことができる。
【図面の簡単な説明】
【００３２】
【図１】図１は本発明の第１実施形態の電気掃除機の概略縦断面図である。
【図２】図２は上記第１実施形態の電気掃除機の延長管の概略縦断面図である。
【図３】図３は本発明の第２実施形態の電気掃除機の延長管の概略横断面図である。
【図４】図４は本発明の第３実施形態の電気掃除機の要部の概略縦断面図である。
【図５】図５は上記第３実施形態の電気掃除機の攪拌羽根の概略斜視図である。
【図６】図６は本発明の第４実施形態の電気掃除機の吸込口体の概略横断面図である。
【図７】図７は本発明の第５実施形態の電気掃除機の要部の概略縦断面図である。
【発明を実施するための形態】
【００３３】
以下、本発明の電気掃除機を図示の実施の形態により詳細に説明する。
【００３４】
（第１実施形態）
図１に、本発明の第１実施形態の電気掃除機を側方から見た概略断面図を示す。
【００３５】
上記電気掃除機は、吸込口体４と、この吸込口体４に一端が着脱自在に接続された延長管５と、延長管５の他端に一端が着脱自在に接続された手元管２１と、この手元管２１の他端に一端が接続されたサクションホース６と、このサクションホース６の他端に着脱自在に接続された掃除機本体１とを備えている。
【００３６】
上記掃除機本体１には、サイクロン集塵室３が１つ着脱自在に設置されている。上記サイクロン集塵室３は掃除機本体１に搭載されているとき、上流側の部分を介してサクションホース６に連通する。
【００３７】
また、上記掃除機本体１内には、サイクロン集塵室３の下流側の部分に連通する電動送風機２が設置されている。この電動送風機２の駆動により、塵埃２０を含む空気が、吸込口体４、延長管５およびサクションホース６を順次通過した後、サイクロン集塵室３内に流入する。そして、上記サイクロン集塵室３内に流入した空気は高速旋回して、その空気から塵埃２０が遠心分離される。また、上記塵埃２０が分離された空気は掃除機本体１外に排出される。
【００３８】
図２に、上記塵埃２０が流れる方向に略垂直な面で延長管５を切った概略断面図を示す。
【００３９】
上記延長管５は、例えばナイロン等で構成された断面略半円弧状の第１部材７と、例えばテフロン（登録商標）等で構成された断面略半円弧状の第２部材８とを有している。
【００４０】
上記第１部材７はサクションホース６へ向かう塵埃２０を正に帯電させる一方、第２部材８はサクションホース６へ向かう塵埃２０を負に帯電させる。そして、上記第１部材７の一端部は、パッキン９Ａを介して第２部材８の一端部に接続されている。また、上記第１部材７の他端部はパッキン９Ｂを介して第２部材８の他端部に接続されている。
【００４１】
上記構成の電気掃除機によれば、上記吸込口体４に吸い込まれた塵埃２０が延長管５を通過する時、塵埃２０の一部が延長管５の第１部材７との摩擦によって正に帯電する一方、塵埃２０の他の一部が延長管５の第２部材８との摩擦によって負に帯電する。これにより、質量が比較的軽い微細な塵埃２０同士が結合して、質量が比較的重い塵埃が生成される。つまり、上記塵埃２０の凝集効果が得られる。
【００４２】
したがって、上記サイクロン集塵室３に入る微細な塵埃の量が減るので、サイクロン集塵室３の分離率が高まり、電動送風機２から外部へ微細な塵埃２０が排出されるのを防ぐことができる。
【００４３】
また、上記サイクロン集塵室３は１つであるから、特表２００４−５２９６８２号公報の従来例よりも、圧力損失を少なくすることできる。
【００４４】
また、上記第１，第２部材７，８のそれぞれは断面略円弧状であるので、延長管５内の塵埃２０を第１，第２部材７，８でサクションホースへスムーズ６に案内することができる。
【００４５】
（第２実施形態）
図３に、本発明の第２実施形態の電気掃除機の延長管２０５の概略断面図を示す。なお、図３の概略断面図は、塵埃２０が流れる方向に略平行な面で延長管２０５を切った概略断面図である。
【００４６】
上記第２実施形態の電気掃除機において、延長管２０５以外の構成は上記第１実施形態と同様であるから、その構成に関する説明は省略する。
【００４７】
上記延長管２０５内には、第１吸気通路１０と、この第１吸気通路１０に沿って延びる第２吸気通路１１とが形成されている。この第１吸気通路１０の内壁には、サクションホースへ向う塵埃２０を正に帯電させる材料（例えばナイロン等）が塗布されている。一方、上記第２吸気通路１１の内壁には、サクションホースへ向う塵埃２０を負に帯電させる材料（例えばテフロン等）が塗布されている。上記第１吸気通路１０の流路断面積は第２吸気通路１１の流路断面積と略等しくなっている。
【００４８】
また、上記延長管２０５内には、延長管２０５内の空間を略二等分するように隔壁１２が形成されている。この隔壁１２が第１吸気通路１０と第２吸気通路１１とを仕切っている。
【００４９】
上記構成の電気掃除機によれば、上記塵埃２０が延長管２０５を通過する時、塵埃２０の一部が第１吸気通路１０の内壁との摩擦によって正に帯電する一方、塵埃２０の他の一部が第２吸気通路１１の内壁との摩擦によって負に帯電する。
【００５０】
したがって、上記第１実施形態に比べて、塵埃２０が摩擦する面が大きいので、正負に帯電した塵埃２０を高効率で生成することができる。
【００５１】
また、上記第１吸気通路１０の流路断面積は第２吸気通路１１の流路断面積と略等しくなっているから、正に帯電した塵埃２０の量と、負に帯電した塵埃２０の量とを略等しくして、塵埃２０の凝集効果を高めることができる。
【００５２】
（第３実施形態）
図４に、本発明の第３実施形態の電気掃除機の要部を側方から見た概略断面図を示す。また、図４において、図１に示した第１実施形態の構成部と同一構成部は、図１における構成部と同一参照番号を付している。
【００５３】
上記第３実施形態の電気掃除機において、手元管３２１以外の構成は上記第１実施形態と同様であるから、その構成に関する説明は省略する。
【００５４】
上記手元管３２１の延長管５側の端部には、塵埃２０が衝突する攪拌羽根１４が設けられている。
【００５５】
図５に、上記攪拌羽根１４の概略斜視図を示す。
【００５６】
上記攪拌羽根１４は図５中の矢印方向に空気を案内するように形成されている。この矢印方向に案内された空気は、攪拌羽根１４の中央部の貫通穴を通ってサクションホース６へ向かう。
【００５７】
上記構成の電気掃除機によれば、延長管５を通過することにより正負に帯電した塵埃２０がサクションホース６に入る前に、攪拌羽根１４に衝突して攪拌される。
【００５８】
したがって、上記延長管５を通過した微細な塵埃２０同士が結合する確率が高くなり、塵埃２０の凝集効果を高めることができる。
【００５９】
その結果、上記第１実施形態よりも、サイクロン集塵室の分離率が高くなる効果が得られる。
【００６０】
（第４実施形態）
図６に、本発明の第４実施形態の電気掃除機の吸込口体４０４を上方から見た概略断面図を示す。
【００６１】
上記第４実施形態の電気掃除機において、吸込口体４０４以外の構成は上記第１実施形態と同様であるから、その構成に関する説明は省略する。
【００６２】
上記吸込口体４０４には円柱状の回転ブラシ１５が回転自在に設けられている。そして、上記回転ブラシ１５の外周面には、塵埃を掻き上げるブラシ体１６が取り付けられている。
【００６３】
上記ブラシ体１６は、例えばナイロン等で構成された第３部材１７と、例えばテフロン等で構成された第４部材１８とからなっている。上記第３部材１７は、延長管へ送る塵埃を正に帯電させる。一方、上記第４部材１８は、延長管へ送る塵埃を負に帯電させる。そして、上記第３部材１７および第４部材１８は、回転ブラシ１５の長手方向つまり回転軸方向に並んでいる。
【００６４】
上記構成の電気掃除機によれば、回転ブラシ１５が塵埃を掻きあげるとき、塵埃の一部が正に帯電すると共に、塵埃の他の一部が負に帯電して、吸込口体４０４によっても凝集効果が得られる。
【００６５】
したがって、上記吸込口体４０４および延長管のそれぞれにおいて塵埃の凝集効果が得られるので、上記第１実施形態よりも、塵埃の凝集効果を高めることができる。
【００６６】
また、上記第３部材１７および第４部材１８は回転ブラシ１５の回転軸方向に並んでいるから、第３部材１７によって正に帯電した塵埃を高効率で生成することができると共に、第４部材１８によって負に帯電した塵埃を高効率で生成することができる。
【００６７】
（第５実施形態）
図７に、本発明の第５実施形態の電気掃除機の要部を側方から見た概略断面図を示す。また、図７において、図１，図６に示した第１，第４実施形態の構成部と同一構成部は、図１，図６における構成部と同一参照番号を付している。
【００６８】
上記第５実施形態の電気掃除機において、攪拌羽根１９以外の構成は上記第１，第４実施形態と同様であるから、その構成に関する説明は省略する。
【００６９】
上記攪拌羽根１９は吸込口体４０４と延長管５との間に設けられており、吸込口体４０４を通過した塵埃が攪拌羽根１９に衝突するようになっている。この攪拌羽根１９は上記第３実施形態の攪拌羽根１４と同様の形状を有して、攪拌羽根１４と同様の作用効果を奏する。
【００７０】
上記構成の電気掃除機によれば、吸込口体４０４を通過することにより正負に帯電した塵埃が延長管５に入る前に、攪拌羽根１９に衝突して攪拌される。
【００７１】
したがって、上記吸込口体４０４を通過した微細な塵埃同士が結合する確率が高くなり、塵埃の凝集効果を高めることができる。
【００７２】
その結果、上記第１，第４実施形態よりも、サイクロン集塵室の分離率が高くなる効果が得られる。
【００７３】
上記第１〜第５実施形態では、サイクロン集塵室１は１つであったが、特表２００４−５２９６８２号公報の従来例のように、上流サイクロン集塵室と、この上流サイクロン集塵室で塵埃が除去された空気が流入する下流サイクロン集塵室とを設けてもよい。この場合でも、延長管５等の塵埃の凝集効果によって、上記従来例よりも排気を清浄にすることができる。
【００７４】
また、本発明の第１〜第５実施形態について説明したが、上記第１〜第５実施形態のみに本発明が限定されるわけではなく、第１〜第５実施形態を適宜組み合わせたものを本発明の一実施の形態としてもよい。
【符号の説明】
【００７５】
１  掃除機本体
２  電動送風機
３  サイクロン集塵室
４，４０４  吸込口体
５，２０５  延長管
６  サクションホース
７  第１部材
８  第２部材
１０  第１吸気通路
１１  第２吸気通路
１２  隔壁
１４，１９  攪拌羽根
１５  回転ブラシ
１６  ブラシ体
１７  第３部材
１８  第４部材
２０  塵埃
【図１】
2011041865.tif 000003
【図２】
2011041865.tif 000004
【図３】
2011041865.tif 000005
【図４】
2011041865.tif 000006
【図５】
2011041865.tif 000007
【図６】
2011041865.tif 000008
【図７】
2011041865.tif 000009
【手続補正書】
【提出日】平成22年12月27日(2010.12.27)
【手続補正１】
【補正対象書類名】明細書
【補正対象項目名】全文
【補正方法】変更
【補正の内容】
【発明の詳細な説明】
【技術分野】
【０００１】
本発明は、例えば一般家庭等で使用される電気掃除機に関する。
【背景技術】
【０００２】
従来、電気掃除としては、特表２００４−５２９６８２号公報に開示されているものがある。この電気掃除機は、上流サイクロンユニットと、この上流サイクロンユニットから排出された空気が流入する下流サイクロンユニットとを備えている。
【０００３】
上記上流サイクロンユニットおよび下流サイクロンユニットは、内部で空気を高速旋回させて、上記空気中の塵埃に遠心力を作用させて、上記空気から塵埃を分離するものである。
【０００４】
上記構成の電気掃除機によれば、上流サイクロンユニットから排出された空気を下流サイクロンユニットに流入させることによって、上流サイクロンユニットで分離できなかった塵埃を下流サイクロンユニットで分離し、塵埃の分離率を高めようとしている。
【０００５】
しかしながら、上記従来の電気掃除機では、上流サイクロンユニットによる圧力損失が生じるため、下流サイクロンユニットに流入する空気の風圧は低下してしまう。
【０００６】
その結果、上記下流サイクロンユニットは、質量が軽い微細な塵埃に十分な遠心力を作用させることできず、空気から微細な塵埃を分離できない。
【０００７】
したがって、上記従来の電気掃除機には、微細な塵埃を含む空気が外部に排出されてしまうという問題がある。
【先行技術文献】
【特許文献】
【０００８】
【特許文献１】特表２００４−５２９６８２号公報
【発明の概要】
【発明が解決しようとする課題】
【０００９】
そこで、本発明の課題は、電動送風機から外部へ微細な塵埃が排出されるのを防ぐことができる電気掃除機を提供することにある。
【課題を解決するための手段】
【００１０】
上記課題を解決するため、本発明の電気掃除機は、
吸込口体と、
上記吸込口体に一端が連なる延長管と、
上記延長管の他端に一端が連なるサクションホースと、
上記サクションホースの他端に連なる掃除機本体と
を備え、
上記掃除機本体は、
遠心力によって空気から塵埃を分離するサイクロン集塵室と、
上記吸込口体、延長管およびサクションホースを介して塵埃を上記サイクロン集塵室に吸引する電動送風機と
を有し、
上記吸込口体には、
上記延長管へ向かう塵埃を正に帯電させる材料で構成された部材と、
上記延長管へ向かう塵埃を負に帯電させる材料で構成された部材と
が設けられていることを特徴としている。
【００１１】
上記構成の電気掃除機によれば、上記吸込口体に吸い込まれた塵埃は延長管を通過してサクションホースへ向かう。この時、上記吸込口体には、延長管へ向かう塵埃を正に帯電させる材料で構成された部材と、延長管へ向かう塵埃を負に帯電させる材料で構成された部材とが設けられているので、延長管へ向かう塵埃の一部が正に帯電する一方、延長管へ向かう塵埃の他の一部が負に帯電する。これにより、質量が比較的軽い微細な塵埃同士が結合して、質量が比較的重い塵埃が生成される。つまり、上記塵埃の凝集効果が得られる。
【００１２】
したがって、上記サイクロン集塵室に入る微細な塵埃の量が減るので、サイクロン集塵室の分離率が高まり、電動送風機から外部へ微細な塵埃が排出されるのを防ぐことができる。
一実施形態の電気掃除機では、
上記吸込口体には回転ブラシが回転自在に設けられ、上記回転ブラシが回転することで、上記延長管へ向かう塵埃が正，負に帯電する。
【００１３】
【００１４】
【００１５】
【００１６】
【００１７】
【００１８】
【００１９】
【００２０】
【００２１】
【００２２】
【００２３】
【００２４】
【００２５】
【００２６】
【００２７】
一実施形態の電気掃除機では、
上記吸込体と上記延長管との間には、塵埃が衝突する攪拌羽根が設けられている。
【００２８】
上記実施形態の電気掃除機によれば、上記吸込口体と延長管との間には塵埃が衝突する攪拌羽根が設けられているので、吸込口体で正負に帯電した塵埃の粒子が攪拌羽根に衝突して拡散する。
【００２９】
したがって、上記微細な塵埃同士が結合する確率が高くなり、塵埃の凝集効果を高めることができる。
【発明の効果】
【００３０】
本発明の電気掃除機によれば、吸込口体には、延長管へ向かう塵埃を正に帯電させる材料で構成された部材と、延長管へ向かう塵埃を負に帯電させる材料で構成された部材とが設けられていることによって、吸込口体を通過する塵埃の一部が正に帯電する一方、吸込口体を通過する塵埃の他の一部が負に帯電するので、質量が比較的軽い微細な塵埃同士が結合して、質量が比較的重い塵埃が生成される。つまり、上記塵埃の凝集効果が得られる。
【００３１】
したがって、上記サイクロン集塵室に入る微細な塵埃の量が減るので、サイクロン集塵室の分離率が高まり、電動送風機から外部へ微細な塵埃が排出されるのを防ぐことができる。
【図面の簡単な説明】
【００３２】
【図１】図１は本発明の第１実施形態の電気掃除機の概略縦断面図である。
【図２】図２は上記第１実施形態の電気掃除機の延長管の概略縦断面図である。
【図３】図３は本発明の第２実施形態の電気掃除機の延長管の概略横断面図である。
【図４】図４は本発明の第３実施形態の電気掃除機の要部の概略縦断面図である。
【図５】図５は上記第３実施形態の電気掃除機の攪拌羽根の概略斜視図である。
【図６】図６は本発明の第４実施形態の電気掃除機の吸込口体の概略横断面図である。
【図７】図７は本発明の第５実施形態の電気掃除機の要部の概略縦断面図である。
【発明を実施するための形態】
【００３３】
以下、本発明の電気掃除機を図示の実施の形態により詳細に説明する。
【００３４】
（第１実施形態）
図１に、本発明の第１実施形態の電気掃除機を側方から見た概略断面図を示す。
【００３５】
上記電気掃除機は、吸込口体４と、この吸込口体４に一端が着脱自在に接続された延長管５と、延長管５の他端に一端が着脱自在に接続された手元管２１と、この手元管２１の他端に一端が接続されたサクションホース６と、このサクションホース６の他端に着脱自在に接続された掃除機本体１とを備えている。
【００３６】
上記掃除機本体１には、サイクロン集塵室３が１つ着脱自在に設置されている。上記サイクロン集塵室３は掃除機本体１に搭載されているとき、上流側の部分を介してサクションホース６に連通する。
【００３７】
また、上記掃除機本体１内には、サイクロン集塵室３の下流側の部分に連通する電動送風機２が設置されている。この電動送風機２の駆動により、塵埃２０を含む空気が、吸込口体４、延長管５およびサクションホース６を順次通過した後、サイクロン集塵室３内に流入する。そして、上記サイクロン集塵室３内に流入した空気は高速旋回して、その空気から塵埃２０が遠心分離される。また、上記塵埃２０が分離された空気は掃除機本体１外に排出される。
【００３８】
図２に、上記塵埃２０が流れる方向に略垂直な面で延長管５を切った概略断面図を示す。
【００３９】
上記延長管５は、例えばナイロン等で構成された断面略半円弧状の第１部材７と、例えばテフロン（登録商標）等で構成された断面略半円弧状の第２部材８とを有している。
【００４０】
上記第１部材７はサクションホース６へ向かう塵埃２０を正に帯電させる一方、第２部材８はサクションホース６へ向かう塵埃２０を負に帯電させる。そして、上記第１部材７の一端部は、パッキン９Ａを介して第２部材８の一端部に接続されている。また、上記第１部材７の他端部はパッキン９Ｂを介して第２部材８の他端部に接続されている。
【００４１】
上記構成の電気掃除機によれば、上記吸込口体４に吸い込まれた塵埃２０が延長管５を通過する時、塵埃２０の一部が延長管５の第１部材７との摩擦によって正に帯電する一方、塵埃２０の他の一部が延長管５の第２部材８との摩擦によって負に帯電する。これにより、質量が比較的軽い微細な塵埃２０同士が結合して、質量が比較的重い塵埃が生成される。つまり、上記塵埃２０の凝集効果が得られる。
【００４２】
したがって、上記サイクロン集塵室３に入る微細な塵埃の量が減るので、サイクロン集塵室３の分離率が高まり、電動送風機２から外部へ微細な塵埃２０が排出されるのを防ぐことができる。
【００４３】
また、上記サイクロン集塵室３は１つであるから、特表２００４−５２９６８２号公報の従来例よりも、圧力損失を少なくすることできる。
【００４４】
また、上記第１，第２部材７，８のそれぞれは断面略円弧状であるので、延長管５内の塵埃２０を第１，第２部材７，８でサクションホースへスムーズ６に案内することができる。
【００４５】
（第２実施形態）
図３に、本発明の第２実施形態の電気掃除機の延長管２０５の概略断面図を示す。なお、図３の概略断面図は、塵埃２０が流れる方向に略平行な面で延長管２０５を切った概略断面図である。
【００４６】
上記第２実施形態の電気掃除機において、延長管２０５以外の構成は上記第１実施形態と同様であるから、その構成に関する説明は省略する。
【００４７】
上記延長管２０５内には、第１吸気通路１０と、この第１吸気通路１０に沿って延びる第２吸気通路１１とが形成されている。この第１吸気通路１０の内壁には、サクションホースへ向う塵埃２０を正に帯電させる材料（例えばナイロン等）が塗布されている。一方、上記第２吸気通路１１の内壁には、サクションホースへ向う塵埃２０を負に帯電させる材料（例えばテフロン等）が塗布されている。上記第１吸気通路１０の流路断面積は第２吸気通路１１の流路断面積と略等しくなっている。
【００４８】
また、上記延長管２０５内には、延長管２０５内の空間を略二等分するように隔壁１２が形成されている。この隔壁１２が第１吸気通路１０と第２吸気通路１１とを仕切っている。
【００４９】
上記構成の電気掃除機によれば、上記塵埃２０が延長管２０５を通過する時、塵埃２０の一部が第１吸気通路１０の内壁との摩擦によって正に帯電する一方、塵埃２０の他の一部が第２吸気通路１１の内壁との摩擦によって負に帯電する。
【００５０】
したがって、上記第１実施形態に比べて、塵埃２０が摩擦する面が大きいので、正負に帯電した塵埃２０を高効率で生成することができる。
【００５１】
また、上記第１吸気通路１０の流路断面積は第２吸気通路１１の流路断面積と略等しくなっているから、正に帯電した塵埃２０の量と、負に帯電した塵埃２０の量とを略等しくして、塵埃２０の凝集効果を高めることができる。
【００５２】
（第３実施形態）
図４に、本発明の第３実施形態の電気掃除機の要部を側方から見た概略断面図を示す。また、図４において、図１に示した第１実施形態の構成部と同一構成部は、図１における構成部と同一参照番号を付している。
【００５３】
上記第３実施形態の電気掃除機において、手元管３２１以外の構成は上記第１実施形態と同様であるから、その構成に関する説明は省略する。
【００５４】
上記手元管３２１の延長管５側の端部には、塵埃２０が衝突する攪拌羽根１４が設けられている。
【００５５】
図５に、上記攪拌羽根１４の概略斜視図を示す。
【００５６】
上記攪拌羽根１４は図５中の矢印方向に空気を案内するように形成されている。この矢印方向に案内された空気は、攪拌羽根１４の中央部の貫通穴を通ってサクションホース６へ向かう。
【００５７】
上記構成の電気掃除機によれば、延長管５を通過することにより正負に帯電した塵埃２０がサクションホース６に入る前に、攪拌羽根１４に衝突して攪拌される。
【００５８】
したがって、上記延長管５を通過した微細な塵埃２０同士が結合する確率が高くなり、塵埃２０の凝集効果を高めることができる。
【００５９】
その結果、上記第１実施形態よりも、サイクロン集塵室の分離率が高くなる効果が得られる。
【００６０】
（第４実施形態）
図６に、本発明の第４実施形態の電気掃除機の吸込口体４０４を上方から見た概略断面図を示す。
【００６１】
上記第４実施形態の電気掃除機において、吸込口体４０４以外の構成は上記第１実施形態と同様であるから、その構成に関する説明は省略する。
【００６２】
上記吸込口体４０４には円柱状の回転ブラシ１５が回転自在に設けられている。そして、上記回転ブラシ１５の外周面には、塵埃を掻き上げるブラシ体１６が取り付けられている。
【００６３】
上記ブラシ体１６は、例えばナイロン等で構成された第３部材１７と、例えばテフロン等で構成された第４部材１８とからなっている。上記第３部材１７は、延長管へ送る塵埃を正に帯電させる。一方、上記第４部材１８は、延長管へ送る塵埃を負に帯電させる。そして、上記第３部材１７および第４部材１８は、回転ブラシ１５の長手方向つまり回転軸方向に並んでいる。
【００６４】
上記構成の電気掃除機によれば、回転ブラシ１５が塵埃を掻きあげるとき、塵埃の一部が正に帯電すると共に、塵埃の他の一部が負に帯電して、吸込口体４０４によっても凝集効果が得られる。
【００６５】
したがって、上記吸込口体４０４および延長管のそれぞれにおいて塵埃の凝集効果が得られるので、上記第１実施形態よりも、塵埃の凝集効果を高めることができる。
【００６６】
また、上記第３部材１７および第４部材１８は回転ブラシ１５の回転軸方向に並んでいるから、第３部材１７によって正に帯電した塵埃を高効率で生成することができると共に、第４部材１８によって負に帯電した塵埃を高効率で生成することができる。
【００６７】
（第５実施形態）
図７に、本発明の第５実施形態の電気掃除機の要部を側方から見た概略断面図を示す。また、図７において、図１，図６に示した第１，第４実施形態の構成部と同一構成部は、図１，図６における構成部と同一参照番号を付している。
【００６８】
上記第５実施形態の電気掃除機において、攪拌羽根１９以外の構成は上記第１，第４実施形態と同様であるから、その構成に関する説明は省略する。
【００６９】
上記攪拌羽根１９は吸込口体４０４と延長管５との間に設けられており、吸込口体４０４を通過した塵埃が攪拌羽根１９に衝突するようになっている。この攪拌羽根１９は上記第３実施形態の攪拌羽根１４と同様の形状を有して、攪拌羽根１４と同様の作用効果を奏する。
【００７０】
上記構成の電気掃除機によれば、吸込口体４０４を通過することにより正負に帯電した塵埃が延長管５に入る前に、攪拌羽根１９に衝突して攪拌される。
【００７１】
したがって、上記吸込口体４０４を通過した微細な塵埃同士が結合する確率が高くなり、塵埃の凝集効果を高めることができる。
【００７２】
その結果、上記第１，第４実施形態よりも、サイクロン集塵室の分離率が高くなる効果が得られる。
【００７３】
上記第１〜第５実施形態では、サイクロン集塵室１は１つであったが、特表２００４−５２９６８２号公報の従来例のように、上流サイクロン集塵室と、この上流サイクロン集塵室で塵埃が除去された空気が流入する下流サイクロン集塵室とを設けてもよい。この場合でも、延長管５等の塵埃の凝集効果によって、上記従来例よりも排気を清浄にすることができる。
【００７４】
また、本発明の第１〜第５実施形態について説明したが、上記第１〜第５実施形態のみに本発明が限定されるわけではなく、第１〜第５実施形態を適宜組み合わせたものを本発明の一実施の形態としてもよい。
【符号の説明】
【００７５】
１  掃除機本体
２  電動送風機
３  サイクロン集塵室
４，４０４  吸込口体
５，２０５  延長管
６  サクションホース
７  第１部材
８  第２部材
１０  第１吸気通路
１１  第２吸気通路
１２  隔壁
１４，１９  攪拌羽根
１５  回転ブラシ
１６  ブラシ体
１７  第３部材
１８  第４部材
２０  塵埃
【手続補正２】
【補正対象書類名】特許請求の範囲
【補正対象項目名】全文
【補正方法】変更
【補正の内容】
【特許請求の範囲】
【請求項１】
吸込口体と、
上記吸込口体に一端が連なる延長管と、
上記延長管の他端に一端が連なるサクションホースと、
上記サクションホースの他端に連なる掃除機本体と
を備え、
上記掃除機本体は、
遠心力によって空気から塵埃を分離するサイクロン集塵室と、
上記吸込口体、延長管およびサクションホースを介して塵埃を上記サイクロン集塵室に吸引する電動送風機と
を有し、
上記吸込口体には、
上記延長管へ向かう塵埃を正に帯電させる材料で構成された部材と、
上記延長管へ向かう塵埃を負に帯電させる材料で構成された部材と
が設けられていることを特徴とする電気掃除機。
【請求項２】
請求項１に記載の電気掃除機において、
上記吸込口体には回転ブラシが回転自在に設けられ、上記回転ブラシが回転することで、上記延長管へ向かう塵埃が正，負に帯電することを特徴とする電気掃除機。
【請求項３】
請求項１または２に記載の電気掃除機において、
上記吸込体と上記延長管との間には、塵埃が衝突する攪拌羽根が設けられていることを特徴とする電気掃除機。